【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
人又は動物の体上での、又は体内での圧力測定から導出可能な圧力信号を自動解析可能な処理装置のための方法であって、特定の間隔で前記信号をサンプリングするステップと、前記圧力信号を参照時間と共に圧力関連デジタル・データに変換するステップとを含み、
選択された時間系列について、
ａ）前記デジタル・データから、前記圧力信号内の単一圧力波群を識別するステップと、
ｂ）前記単一圧力波群について絶対平均圧力を計算するステップと、
ｃ）前記単一圧力波群の単一圧力波関連パラメータ群を計算するステップと、
ｄ）振幅、待ち時間、立ち上がり時間係数に関連してそのような波群の予め選択されたパラメータ値を有する単一圧力波の数を識別するステップと、
ｅ）第１の行列内に振幅及び待ち時間の予め選択された値を有する単一圧力波の発生数をプロットし、前記第１の行列内で振幅と待ち時間の組合せの均衡位置を決定し、得られた前記均衡位置を数値として又は加重値に関連するものとして提示するステップと、
及び/又は
ｆ）第２の行列内に立ち上がり時間係数の予め選択された値を有する単一圧力波の発生数をプロットし、前記第２の行列内で立ち上がり時間係数の均衡位置を決定し、得られた前記均衡位置を数値として又は加重値に関連するものとして提示するステップとをさらに含む方法。
【請求項２】
前記方法が、前記選択された時間系列中に連続圧力信号に適用される、請求項１に記載の方法。
【請求項３】
前記選択された時間系列が、５〜１５秒の範囲内にある、請求項２に記載の方法。
【請求項４】
２つの時間系列間で発生する単一圧力波群が、予め選択された基準に従って前記２つの時間系列の一方又は他方に含まれる、請求項２又は３に記載の方法。
【請求項５】
連続する一連の前記選択された時間系列が、連続圧力記録期間を構成する、請求項２に記載の方法。
【請求項６】
前記選択された時間系列のどれかが、選択された基準に従ってさらなる解析のために受け入れられる、又は拒絶される、請求項５に記載の方法。
【請求項７】
連続測定期間中に、連続する一連の前記時間系列内の前記時間系列のそれぞれについて、連続圧力信号すべてに本方法を適用するステップをさらに含む、請求項１に記載の方法。
【請求項８】
前記識別するステップが、前記信号内の最小圧力値（谷）及び最大圧力値（ピーク）すべての決定を含む、請求項１に記載の方法。
【請求項９】
単一圧力波群を識別する前記ステップが、前記単一圧力波の心臓拡張期最小値に関連する最小圧力値（Ｐｍｉｎ）及び心臓収縮期最大値に関連する最大圧力値（Ｐｍａｘ）を識別することに関連する、請求項１に記載の方法。
【請求項１０】
単一圧力波群を識別する前記ステップが、前記単一圧力波の最小−最大（Ｐｍｉｎ／Ｐｍａｘ）対の決定を含む、請求項１に記載の方法。
【請求項１１】
前記識別するステップが、正しい最小−最大（Ｐｍｉｎ／Ｐｍａｘ）対に関連する前記単一圧力波パラメータの少なくとも１つを決定することを含み、前記パラメータが、振幅（ΔＰ）、待ち時間（ΔＴ）、立ち上がり時間係数（ΔＰ／ΔＴ）のグループから選択される、請求項１に記載の方法。
【請求項１２】
前記単一圧力波振幅が、圧力振幅＝ΔＰ＝心臓収縮期最大値（Ｐｍａｘ）−心臓拡張期最小値（Ｐｍｉｎ）に関連する、請求項１に記載の方法。
【請求項１３】
前記単一圧力波待ち時間が、待ち時間＝ΔＴ＝圧力が心臓拡張期最小圧力（Ｐｍｉｎ）から心臓収縮期最大圧力（Ｐｍａｘ）に増大する時間系列に関連する、請求項１に記載の方法。
【請求項１４】
前記単一圧力波立ち上がり時間係数が、振幅ΔＰと待ち時間ΔＴの間の関係ΔＰ／ΔＴに関連する、請求項１に記載の方法。
【請求項１５】
前記識別するステップが、予め選択された閾値外の振幅値（ΔＰ）又は待ち時間値（ΔＴ）又は立ち上がり時間係数値（ΔＰ／ΔＴ）を有する最小−最大圧力（Ｐｍｉｎ／Ｐｍａｘ）対の除外を含む、請求項１に記載の方法。
【請求項１６】
振幅（ΔＰ）、待ち時間（ΔＴ）、立ち上がり時間係数（ΔＰ／ΔＴ）のグループから選択された前記単一圧力波パラメータ群が、相対値にすぎず、任意のゼロ圧力レベルから独立している、請求項１に記載の方法。
【請求項１７】
前記心臓収縮期最大圧力値（Ｐｍａｘ）が、前記単一圧力波内で発生する３つのピーク値の１つである、請求項９に記載の方法。
【請求項１８】
前記単一圧力波内の前記３つのピーク値の第１のピーク（Ｐ１）が、パーカッション波の上端に関連する振幅を有し、
前記３つのピーク値の第２のピーク（Ｐ２）が、前記単一圧力波の潮汐波部分に関連する振幅を有し、
前記３つのピーク値の第３のピーク（Ｐ３）が、前記単一圧力波の重拍波部分に関連する振幅を有する、請求項１７に記載の方法。
【請求項１９】
前記振幅値と待ち時間値の間の比に基づいて１つ又は複数の立ち上がり時間係数ΔＰ／ΔＴを計算するステップをさらに含む、請求項１７又は１８に記載の方法。
【請求項２０】
前記単一圧力波群の各個々の波についての絶対平均圧力が、圧力波形の時間中、すなわち、心臓拡張期最小圧力（Ｐｍｉｎ）から心臓拡張期最小圧力（Ｐｍｉｎ）の平均圧力に関連する、請求項１に記載の方法。
【請求項２１】
個々の単一圧力波についての平均圧力が、前記圧力波内の圧力レベルの和を圧力サンプル数で除したものである、請求項２０に記載の方法。
【請求項２２】
個々の単一圧力波についての平均圧力が、前記単一圧力波についての曲線下の面積（ＡＵＣ）である、請求項２０に記載の方法。
【請求項２３】
前記選択された時間系列についての絶対平均圧力が、前記時間系列中の個々の単一圧力波すべてについての絶対平均圧力（波長Ｐｍｉｎ−Ｐｍｉｎ）の和を前記同一の時間系列内の単一圧力波数で除したものである、請求項１に記載の方法。
【請求項２４】
単一圧力波群の絶対平均圧力が、大気圧に対する絶対圧力に関連する、請求項１に記載の方法。
【請求項２５】
単一圧力波群が、前記単一波群の単一圧力波心臓拡張期最小圧力（Ｐｍｉｎ）及び心臓収縮期最大圧力（Ｐｍａｘ）の絶対圧力値が選択された閾値外であるとき拒絶される、請求項１に記載の方法。
【請求項２６】
前記時間系列中の心拍数が、前記時間系列中の単一圧力波数を前記時間系列の持続時間で除したものに等しい、請求項１に記載の方法。
【請求項２７】
前記時間系列中の心拍数が、前記時間系列中の単一圧力波数を前記時間系列中の前記個々の単一圧力波すべてについての波長（Ｐｍｉｎ−Ｐｍｉｎ）の和で除したものに等しい、請求項１に記載の方法。
【請求項２８】
圧力記録の時間系列が、前記時間系列内の単一圧力波関連パラメータ群に従って受け入れられる、又は拒絶される、請求項１に記載の方法。
【請求項２９】
前記時間系列が、５〜１５秒の範囲内の持続時間のものである、請求項２８に記載の方法。
【請求項３０】
時間系列が、前記単一圧力波群の最小／最大（Ｐｍｉｎ／Ｐｍａｘ）対値の絶対圧力の標準偏差が選択された閾値外であるとき拒絶される、請求項２８に記載の方法。
【請求項３１】
時間系列が、振幅（ΔＰ）、待ち時間（ΔＴ）、立ち上がり時間係数（ΔＰ／ΔＴ）のグループから選択された１つ又は複数の単一圧力波パラメータの標準偏差が選択された閾値外であるとき拒絶される、請求項２８に記載の方法。
【請求項３２】
時間系列が、前記時間系列内の単一圧力波数が選択された閾値外であるとき拒絶される、請求項２８に記載の方法。
【請求項３３】
時間系列が、前記時間系列についての単一圧力波導出心拍数が選択された閾値外であるとき拒絶される、請求項２８に記載の方法。
【請求項３４】
時間系列が、同一の参照時間と共に、同一の時間系列中に記録された別の圧力から導出された単一圧力波数に比べて、前記時間系列についての単一圧力波数が選択された値外に逸脱したとき拒絶される、請求項２８に記載の方法。
【請求項３５】
時間系列が、同一の参照時間と共に、同一の時間系列中に記録された別の圧力からの単一圧力波導出心拍数に比べて、前記時間系列についての単一圧力波導出心拍数が選択された値外に逸脱したとき拒絶される、請求項２８に記載の方法。
【請求項３６】
時間系列が、他のソースから導出された心拍数に比べて、前記時間系列についての単一圧力波導出心拍数が選択された値外に逸脱したとき拒絶される、請求項２８に記載の方法。
【請求項３７】
前記他のソースがパルス・オキシメトリ又は心電図記録である、請求項３６に記載の方法。
【請求項３８】
前記時間系列の拒絶又は受け入れが、進行中の圧力測定中に繰り返し実行される、請求項２８から３７のいずれか一項に記載の方法。
【請求項３９】
記録期間中の受け入れられた時間系列及び拒絶された時間系列についてログが作成される、請求項２８から３７のいずれか一項に記載の方法。
【請求項４０】
１つ又は複数の単一圧力波関連パラメータに関連する予め選択された値を有する単一圧力波数の決定に基づいて行列を作成し、各行列セルについて、前記第１の行列及び／又は第２の行列内のそれぞれの交点で、前記単一圧力波群の特定のパラメータ間の合致の発生数を示すステップをさらに含む、請求項１に記載の方法。
【請求項４１】
行列が、振幅（ΔＰ）及び待ち時間（ΔＴ）に関連する予め選択された値を有する単一圧力波数を決定することに基づいて作成され、前記第１の行列の一方の軸が、圧力振幅（ΔＰ）の予め選択された値のアレイに関連し、前記第１の行列における他方の軸が、予め選択された待ち時間（ΔＴ）のアレイに関連し、各行列セルについて、前記行列内のそれぞれの交点で、特定の圧力振幅（ΔＰ）と特定の待ち時間（ΔＴ）との合致の発生数を示すことが、前記時間系列にわたる単一圧力波群の連続測定に関連する、請求項４０に記載の方法。
【請求項４２】
行列が、立ち上がり時間係数（ΔＰ／ΔＴ）に関連する予め選択された値を有する単一圧力波数を決定することに基づいて作成され、前記第２の行列の一方の軸が、立ち上がり時間係数（ΔＰ／ΔＴ）の予め選択された値のアレイに関連し、前記第２の行列内のセルごとに、前記時間系列にわたる単一圧力波群の連続測定に関連する予め選択された立ち上がり時間係数（ΔＰ／ΔＴ）の発生が示される、請求項４０に記載の方法。
【請求項４３】
前記単一圧力波パラメータ群がグループに分類され、前記グループが、前記単一波パラメータ値の範囲を反映する、請求項４０に記載の方法。
【請求項４４】
前記行列の反復更新が、前記時間系列中に、また測定期間内で取られる進行中の測定中に行われる、請求項４０から４３のいずれか一項に記載の方法。
【請求項４５】
前記反復更新が、５〜１５秒ごとの時間範囲内で行われる、請求項４４に記載の方法。
【請求項４６】
前記行列が、一連の繰り返される時間系列内の各連続する時間系列について計算される、請求項４０から４５のいずれか一項に記載の方法。
【請求項４７】
前記行列内の前記合致の発生が、特定の測定期間中の合致の実際数又は標準化ベースの数を介して示される、請求項４０から４２のいずれか一項に記載の方法。
【請求項４８】
前記合致の発生が、特定の測定期間中の合致の割合を介して示される、請求項４０から４２のいずれか一項に記載の方法。
【請求項４９】
前記合致の発生の数の前記標準化又は割合が、特定の測定期間の長さの関数である、請求項４７から４８のいずれか一項に記載の方法。
【請求項５０】
前記標準化が、単一圧力波（心拍数）の波長に関連する、請求項４７に記載の方法。
【請求項５１】
前記第１の行列内で前記単一圧力波振幅値（ΔＰ）及び待ち時間値（ΔＴ）の発生数について均衡位置を計算するステップをさらに含む、請求項１に記載の方法。
【請求項５２】
振幅（ΔＰ）と待ち時間（ΔＴ）の組合せの数の前記第１の行列の均衡位置が、前記時間系列中の振幅（ΔＰ）と待ち時間（ΔＴ）の組合せの平均頻度分布に関連する、請求項５１に記載の方法。
【請求項５３】
均衡位置が、前記第２の行列内で前記単一圧力波立ち上がり時間係数値（ΔＰ／ΔＴ）の発生数について計算される、請求項１に記載の方法。
【請求項５４】
立ち上がり時間係数（ΔＰ／ΔＴ）の前記第２の行列数の前記均衡位置が、前記選択された時間系列中の立ち上がり時間係数（ΔＰ／ΔＴ）の平均頻度分布に関連する、請求項５３に記載の方法。
【請求項５５】
前記時間系列内の前記行列均衡位置の反復計算が、測定期間にわたって取られる進行中の測定中に行われる、請求項５１から５４のいずれか一項に記載の方法。
【請求項５６】
新しい行列均衡位置が、測定期間にわたって取られる進行中の測定中に、連続する一連の前記時間系列内の各時間系列について計算される、請求項５１から５４のいずれか一項に記載の方法。
【請求項５７】
前記反復更新が、５〜１５秒ごとの時間範囲内で行われる、請求項５５から５６に記載の方法。
【請求項５８】
前記第１又は第２の行列内の発生数の均衡位置が、数値として、又は加重値として提示される、請求項５１から５７のいずれか一項に記載の方法。
【請求項５９】
前記単一圧力波関連デジタル・データをデータベース内に記憶するステップと、前記デジタル・データのセットを所与の時間系列に関連させるステップと、前記デジタル・データのセットを、連続する一連の前記時間系列内の個々の時間系列に関連させるステップとをさらに含む、請求項１に記載の方法。
【請求項６０】
前記データベース内に記憶された前記単一圧力波関連デジタル・データが、次の特徴項目、すなわち、
ａ）前記時間系列内の各受け入れられたＰｍｉｎ／Ｐｍａｘ対の心臓拡張期最小値（Ｐｍｉｎ）についての絶対圧力値、
ｂ）前記時間系列内の各受け入れられたＰｍｉｎ／Ｐｍａｘ対の心臓収縮期最大値（Ｐｍａｘ）についての絶対圧力値、
ｃ）前記時間系列内の各個々の単一圧力波のＰｍｉｎからＰｍｉｎ（波長）の平均圧力である、各個々の単一圧力波についての絶対圧力値、
ｄ）前記時間系列内の各個々の単一圧力波についての相対振幅（ΔＰ）圧力値、
ｅ）前記時間系列内の各個々の単一圧力波についての相対待ち時間値（ΔＴ）、
ｆ）前記時間系列内の各個々の単一圧力波についての相対立ち上がり時間係数（ΔＰ／ΔＴ）、
ｇ）前記時間系列内の単一圧力波の数、
ｈ）単一圧力波の数を、前記時間系列内の単一圧力波群の波長（ＰｍｉｎからＰｍｉｎ）の総持続時間で除したものとして計算された単一圧力波導出心拍数、
ｉ）単一圧力波の数を、前記単一圧力波群が発生した前記時間系列の持続時間で除したものとして計算された単一圧力波導出心拍数、
ｊ）前記時間系列中の個々の単一波すべてについての絶対平均圧力の和（波長Ｐｍｉｎ−Ｐｍｉｎ）を、前記時間系列内の単一圧力波の数で除したものとして計算された、前記時間系列内で発生する個々の単一圧力波（波長Ｐｍｉｎ−Ｐｍｉｎ）すべてについての絶対平均圧力値の平均、
ｋ）前記時間系列内の個々の単一圧力波すべての絶対平均圧力値についての標準偏差、
ｌ）前記時間系列内の個々の単一波すべての心臓拡張期最小圧力値（Ｐｍｉｎ）についての標準偏差、
ｍ）前記時間系列内の個々の単一波すべての心臓収縮期最大圧力値（Ｐｍａｘ）についての標準偏差、
ｎ）前記時間系列内の個々の単一圧力波すべてについての圧力振幅値（ΔＰ）についての標準偏差、
ｏ）前記時間系列内の個々の単一圧力波すべての相対待ち時間（ΔＴ）についての標準偏差、
ｐ）前記時間系列内の個々の単一圧力波すべての相対立ち上がり時間係数値（ΔＰ／ΔＴ）についての標準偏差、
ｑ）前記時間系列内の単一圧力波振幅値（ΔＰ）と待ち時間値（ΔＴ）の組合せの前記第１の行列内の振幅（ΔＰ）／待ち時間（ΔＴ）の組合せの均衡位置、
ｒ）前記時間系列内の単一圧力波立ち上がり時間係数（ΔＰ／ΔＴ）の前記第２の行列内の立ち上がり時間係数（ΔＰ／ΔＴ）の均衡位置、
のうち少なくとも１つを含む、請求項５９に記載の方法。
【請求項６１】
前記時間系列が、５〜１５秒の範囲内にある、請求項６０に記載の方法。
【請求項６２】
前記単一圧力波関連デジタル圧力データをコンピュータ可読媒体上で記憶するステップと、
前記単一圧力波関連デジタル圧力データのいずれかの中の、又はそれらの間の、差又は関係のグラフィカル表示及び統計解析を提供するステップとをさらに含む、請求項６０に記載の方法。
【請求項６３】
前記データベース内に記憶された前記単一圧力波関連デジタル圧力データのいずれかの間の差又は関係が、統計的に解析される、請求項５９から６２のいずれか一項に記載の方法。
【請求項６４】
前記統計的解析が、同一の時間系列及び同一の参照時間と共に、異なる圧力間における前記単一波パラメータ群の値の差をプロットすることを含む、請求項５９から６３のいずれか一項に記載の方法。
【請求項６５】
前記差が、同一の時間系列及び同一の参照時間を伴う異なる圧力間の絶対平均圧力の差に関連する、請求項６４に記載の方法。
【請求項６６】
前記差が、同一の時間系列及び同一の参照時間を伴う異なる圧力間の振幅（ΔＰ）の均衡位置の差に関連する、請求項６４に記載の方法。
【請求項６７】
前記差が、同一の時間系列及び同一の参照時間を伴う異なる圧力間の待ち時間（ΔＴ）の均衡位置の差に関連する、請求項６４に記載の方法。
【請求項６８】
前記差が、同一の時間系列及び同一の参照時間を伴う異なる圧力間の立ち上がり時間係数の差に関連する、請求項６４に記載の方法。
【請求項６９】
前記統計解析が、各軸が前記単一圧力波パラメータの１つを参照する散布プロット内で単一圧力波パラメータ群をプロットすることを含む、請求項６２又は６３に記載の方法。
【請求項７０】
前記時間系列中の絶対平均圧力が、前記同一の時間系列中の振幅（ΔＰ）の均衡位置に関連付けられる、請求項５９から６４のいずれか一項に記載の方法。
【請求項７１】
前記時間系列中の絶対平均圧力が、前記同一の時間系列中の待ち時間（ΔＴ）の均衡位置に関連付けられる、請求項５９から６４のいずれか一項に記載の方法。
【請求項７２】
前記時間系列中の振幅（ΔＰ）の均衡位置が、前記同一の時間系列中の待ち時間（ΔＴ）の均衡位置に関連付けられる、請求項５９から６４のいずれか一項に記載の方法。
【請求項７３】
最もよくフィットする曲線又は式が、前記単一圧力波関連パラメータ群の任意の関係について確立される、請求項６３及び６９から７２のいずれか一項に記載の方法。
【請求項７４】
前記最もよくフィットする曲線又は式が、前記単一圧力波関連パラメータ群についての範囲に関連する、請求項７３に記載の方法。
【請求項７５】
前記最もよくフィットする曲線又は式が、個々の圧力記録に基づいて作成され、前記個々の圧力記録が、連続する一連の前記時間系列について組み立てられる、請求項１、７３又は７４に記載の方法。
【請求項７６】
合計の最もよくフィットする曲線又は式が、前記個々の圧力記録の２つ以上に基づいて作成される、請求項１、７３又は７４に記載の方法。
【請求項７７】
最もよくフィットする曲線又は式の平均タイプが、前記個々の圧力記録の２つ以上から作成される、請求項７５又は７６に記載の方法。
【請求項７８】
前記個々の圧力記録が、選択可能な基準に従って前記合計の最もよくフィットする曲線又は式を決定する際に含まれ、前記選択可能な基準が、前記個々の圧力記録内の単一圧力波関連パラメータ群の分布に関連付けられる、請求項７４から７７のいずれか一項に記載の方法。
【請求項７９】
異なる単一圧力波パラメータ関係についての最もよくフィットする式が組み合わされる、請求項１、６２から６３、６９から７８のいずれか一項に記載の方法。
【請求項８０】
１つの単一圧力波関連パラメータが、２つ以上の他の単一圧力波関連パラメータの関数として決定される、請求項７９に記載の方法。
【請求項８１】
前記個々の時間系列についての平均圧力が、前記同一の時間系列内の振幅及び待ち時間の均衡位置の関数として決定される、請求項１及び７１から７９のいずれか一項に記載の方法。
【請求項８２】
単一圧力波関連パラメータ群の行列のセルに重みを与えるステップをさらに含み、前記重みが、前記単一圧力波関連パラメータ間の関係によって決定される、請求項１並びに５９及び６０のいずれか一項に記載の方法。
【請求項８３】
単一圧力波関連デジタル・データに基づいて行列を作成するステップと、
前記行列内のそれぞれの交点部の各セル部で、前記単一圧力波群の特定のパラメータ間の合致の発生数を示し、前記行列内の各セルを加重して加重値を与えるステップとをさらに含み、
前記加重するステップが、
個々の圧力記録について、前記行列内で表された前記単一圧力波パラメータ群を含む単一圧力波パラメータ間の関係を計算するステップと、
複数の個々の圧力記録について、前記行列内で表された前記単一波パラメータ群を含む単一圧力波パラメータ間の関係を計算するステップと、
前記加重値が前記行列内に含まれる前記単一波パラメータ群の関数である式を計算するステップと、
前記式に従って前記行列内の各セルに加重値を提供するステップであって、前記式内の入力値が前記行列の列及び行グループ中点であるステップと、
特定の行列セル内の前記単一圧力波群の特定のパラメータ間の任意の合致の発生を、前記行列セルの前記加重値として提示するステップとを含む、請求項８２に記載の方法。
【請求項８４】
振幅（ΔＰ）及び待ち時間（ΔＴ）に関連する予め選択された値を有する単一圧力波の数を決定することに基づいて行列を作成するステップであって、前記行列の一方の軸が、圧力振幅（ΔＰ）の予め選択された値のアレイに関連付けられ、他方の軸が予め選択された待ち時間（ΔＴ）のアレイに関連付けられるステップと、
前記行列内のそれぞれの交点部の各セル部で、ある時間系列内の単一圧力波群の連続する測定に関連する単一圧力波振幅（ΔＰ）と待ち時間（ΔＴ）の特定の組合せ間における合致の発生数を示し、前記行列内の各セルを加重して、前記時間系列中の平均圧力に関連する加重値を提供するステップとをさらに含み、
前記行列セルの前記加重するステップが、
個々の圧力記録又は複数の個々の圧力記録について、前記時間系列内での絶対平均圧力と単一圧力波振幅（ΔＰ）の均衡位置との関係について最もよくフィットする式を計算するステップと、
個々の圧力記録又は複数の個々の圧力記録について、前記時間系列内での単一圧力波振幅（ΔＰ）の均衡位置と単一圧力波待ち時間（ΔＴ）の均衡位置との関係について最もよくフィットする式を計算するステップと、
個々の圧力記録又は複数の個々の圧力記録について、前記時間系列内での絶対平均圧力と、単一圧力波振幅（ΔＰ）の均衡位置及び単一圧力波待ち時間（ΔＴ）の均衡位置との関係について最もよくフィットする式を計算するステップと、
個々の圧力記録又は複数の個々の圧力記録について、前記時間系列内での単一圧力波振幅（ΔＰ）の均衡位置及び単一圧力波待ち時間（ΔＴ）の均衡位置の関数として絶対平均圧力間の関係について式を計算するステップと、
前記行列内の各セルについて、平均圧力が、前記時間系列内での単一圧力波振幅（ΔＰ）の均衡位置及び単一圧力波待ち時間（ΔＴ）の均衡位置の関数である前記式から導出可能な平均圧力値を計算するステップであって、
前記式に入力される前記振幅値（ΔＰ）及び待ち時間値（ΔＴ）が、前記振幅グループ値（ΔＰ）及び待ち時間グループ値（ΔＴ）の中点など、選択された基準に従って作成されるステップと、
前記行列内のセルすべてについて、加重スケール値を決定する前記ステップを繰り返すステップとを含む、請求項８３に記載の方法。
【請求項８５】
前記基準が、前記振幅グループ値（ΔＰ）及び待ち時間グループ値（ΔＴ）の中点である、請求項８４に記載の方法。
【請求項８６】
行列セルに、前記行列の行及び列のパラメータ群の関数として表される値が与えられる、請求項８３又は８４に記載の方法。
【請求項８７】
振幅（ΔＰ）／待ち時間（ΔＴ）行列の行列セルすべてが平均圧力値によって表され、前記平均圧力値が、振幅値（ΔＰ）及び待ち時間値（ΔＴ）の均衡位置の関数であり、前記平均圧力値が予測平均圧力と呼ばれる、請求項８３又は８４に記載の方法。
【請求項８８】
振幅（ΔＰ）／待ち時間（ΔＴ）行列の行列セルが、前記行列セルの平均圧力値に対応する選択された色によって表される、請求項８３又は８４に記載の方法。
【請求項８９】
所与の時間系列内の振幅（ΔＰ）及び待ち時間（ΔＴ）の前記２次元均衡位置が、１次元重みスケール数によって表される、請求項８３又は８４に記載の方法。
【請求項９０】
さらに、振幅値及び待ち時間値の均衡位置の反復更新が、前記均衡位置の加重数の反復更新に対応し、前記加重値が、予測平均圧力値と呼ばれる前記平均圧力値である、請求項５５に記載の方法。
【請求項９１】
さらに、加重数としての振幅と待ち時間の組合せの均衡位置の反復更新が、時間に対して行われ、前記均衡位置が、進行中の圧力測定中に、トレンド・プロット内で時間に対して加重スケール値としてプロットされる、請求項５５に記載の方法。
【請求項９２】
さらに、前記時間系列中の加重数としての振幅と待ち時間の組合せの均衡位置の反復更新が、加重値として表され、ヒストグラム内で提示される、請求項５５又は９１に記載の方法。
【請求項９３】
圧力信号の前記解析が、頭蓋内圧、動脈血圧、髄液圧、脳潅流圧、眼圧、胃腸圧、尿道圧、又は任意のタイプの軟組織圧のうち１つ又は複数から選択された人又は動物の体圧に関連付けられる、請求項１に記載の方法。
【請求項９４】
人又は動物の体上での、又は体内での圧力測定から導出可能な圧力信号を自動解析可能な処理装置のための方法であって、特定の間隔で前記信号をサンプリングするステップと、前記圧力信号を参照時間と共に圧力関連デジタル・データに変換するステップとを含み、
ある時間系列中に特定の間隔での圧力関連データをサンプリングし、前記サンプリングされたデータをデジタル・データのセットに変換し、前記デジタル・データ・セットから単一波群を識別するステップと、
前記時間系列について前記単一圧力波群に関連するパラメータ群を決定するステップとをさらに含み、
前記単一圧力波関連パラメータ群が、
前記時間系列内の各識別された単一圧力波（波長Ｐｍｉｎ−Ｐｍｉｎ）についての絶対平均圧力、
前記時間系列内の識別された単一圧力波（波長Ｐｍｉｎ−Ｐｍｉｎ）すべてについての平均圧力の平均、
前記時間系列内の識別された単一圧力波（波長Ｐｍｉｎ−Ｐｍｉｎ）すべてについての絶対平均圧力の標準偏差、
前記時間系列中の単一圧力波の数、
前記時間系列中の単一圧力波導出心拍数
前記時間系列内の各識別された単一圧力波（波長Ｐｍｉｎ−Ｐｍｉｎ）についての相対圧力振幅値（ΔＰ）、
前記時間系列内の識別された単一圧力波（波長Ｐｍｉｎ−Ｐｍｉｎ）すべてについての相対圧力振幅値（ΔＰ）の標準偏差、
前記時間系列内の各識別された単一圧力波（波長Ｐｍｉｎ−Ｐｍｉｎ）についての相対待ち時間値（ΔＴ）、
前記時間系列内の識別された単一圧力波（波長Ｐｍｉｎ−Ｐｍｉｎ）すべてについての相対待ち時間値（ΔＴ）の標準偏差、
前記時間系列内の各識別された単一圧力波（波長Ｐｍｉｎ−Ｐｍｉｎ）についての立ち上がり時間係数（ΔＰ／ΔＴ）、
前記時間系列内の識別された単一圧力波（波長Ｐｍｉｎ−Ｐｍｉｎ）すべてについての立ち上がり時間係数（ΔＰ／ΔＴ）の標準偏差、
前記時間系列内の単一圧力波の振幅値（ΔＰ）と待ち時間値（ΔＴ）の組合せについての第１の行列内の均衡位置、
前記時間系列内の単一圧力波立ち上がり時間係数値（ΔＰ／ΔＴ）の組合せについての第２の行列内の均衡位置
のうち少なくとも１つ又は複数を含み、
さらに、
前記単一圧力波関連パラメータ群を、短い時間系列、たとえば３秒間の間に識別するステップと、
前記時間系列中に単一圧力波関連パラメータ群について前記決定するステップに基づいて、解析出力を確立するステップと、
前記時間系列のそれぞれについて、前記単一圧力波解析出力に関連する送達可能な第１の制御信号を確立するステップであって、
前記第１の制御信号が、前記解析出力のための１つ又は複数の選択可能な基準に従って決定されるステップとを含み、
さらに、
前記送達可能な第１の制御信号を、前記第１の送達可能な制御信号に対応するレギュレータ送達可能な第２の制御信号に修正するステップと、
前記第２の制御信号をセンサ調節デバイスに送達し、前記センサ調節デバイスの性能を修正させるステップとを含む方法。
【請求項９５】
前記解析が処理装置によって実行され、前記処理装置が、第１の制御信号をレギュレータに送達し、前記第１の制御信号が、前記解析の出力のための選択可能な基準に従って決定される、請求項９４に記載の方法。
【請求項９６】
所与の時間系列についての単一圧力波関連デジタル・データの前記解析の出力が、前記送達可能な第１の制御信号の修正を生み出す、請求項９４に記載の方法。
【請求項９７】
前記第１の制御信号の特徴が、後続の圧力監視から導出可能な前記単一圧力波解析の出力が特定の基準を満たすとき選択可能である、請求項９４に記載の方法。
【請求項９８】
単一圧力波関連パラメータ群の前記選択された基準が、最適な単一圧力波検出のための基準に関連する、請求項９４に記載の方法。
【請求項９９】
前記選択可能な第１の制御信号が、連続する一連の時間系列内の各個々の時間系列中に、前記連続する一連の時間系列内の各時間系列についての前記単一圧力波解析の出力に従って決定される、請求項９４に記載の方法。
【請求項１００】
前記第１の制御信号が、レギュレータ内で、送達可能な第２の制御信号に変換され、前記選択可能な第２の制御信号が、前記選択可能な第１の制御信号に対応する、請求項９４から９９のいずれか一項に記載の方法。
【請求項１０１】
前記レギュレータ送達可能な第２の制御信号が、センサ調節デバイスの性能に修正を引き起こす、請求項１００に記載の方法。
【請求項１０２】
前記センサ調節デバイスが、レギュレータ送達可能な第２の制御信号に従って調整可能である、請求項１０１に記載の方法。
【請求項１０３】
前記センサ調節デバイスが、圧力を示す信号を前記センサがサンプリングすることができるモードを修正する、請求項１０１から１０２に記載の方法。
【請求項１０４】
レギュレータへの送達可能な第１の制御信号を制御する、単一圧力波解析を実行する処理装置と、センサ調節デバイスへの送達可能な第２の制御信号を制御するレギュレータとの間にフィードバックがあり、前記フィードバック信号が、進行中の圧力測定中に選択された間隔で反復可能である、請求項９４から１０３のいずれか一項に記載の方法。
【請求項１０５】
所与の時間系列についての前記単一圧力波解析の出力が、前記第２の送達可能な制御信号に関連する、請求項１０４に記載の方法。
【請求項１０６】
前記単一圧力波解析の出力が、一連の連続時間系列中に個々の時間系列について決定され、前記第２の制御信号が、前記個々の時間系列のそれぞれの間で別のレベルに修正され、前記第２の制御信号のレベルが、前記時間系列のそれぞれについての前記解析出力に関連する、請求項１０４から１０５に記載の方法。
【請求項１０７】
前記第１の制御信号が、前記第２の制御信号に従って決定され、前記第２の制御信号が、前記第１の制御信号に従って決定される、請求項１０４から１０５に記載の方法。
【請求項１０８】
前記送達可能な第１及び第２の制御信号が、最適な単一圧力波検出を示す前記単一圧力波解析の出力に関連し、前記第１及び第２の制御信号が、後続の圧力監視中に使用される、請求項９４から１０７のいずれか一項に記載の方法。
【請求項１０９】
前記人又は動物の体圧が、頭蓋内圧、動脈血圧、髄液圧、脳潅流圧、眼圧、胃腸圧、尿道圧、又は任意のタイプの軟組織圧のうち１つ又は複数である、請求項９４に記載の方法。
【手続補正２】
【補正対象書類名】明細書
【補正対象項目名】００７１
【補正方法】変更
【補正の内容】
【００７１】
【表３】
2006504468.tif 000001